(57)【要約】      （修正有）【課題】省電力状態でジョブを受信した際に、手差し給紙が指定されている場合、操作部の電源を復帰させることなくジョブで指定されたサイズに従って処理を行う。【解決手段】操作部、エンジン部、コントローラ部への電力供給を制御して通常状態から省電力状態へ、または省電力状態から通常状態へ移行させる電力制御手段と、手差しされるシートを給紙する手差し給紙手段と、手差しされるシートサイズを検出する検出手段と、前記省電力状態へ移行した後、手差し給紙が指定されたジョブを受信した場合、当該ジョブで指定されるシートサイズと検出されたシートサイズが一致するかどうかを判断する判断手段と、を備え、前記シートサイズが一致すると判断した場合、前記電力制御手段は、前記操作部への電力供給を復帰させることなく、前記コントローラ部、エンジン部に電力を供給して前記ジョブを処理させ、当該ジョブの終了後、前記省電力状態へ移行させる。【選択図】図８
2014113702.tif 000002
【特許請求の範囲】
【請求項１】
ジョブ処理を行う印刷装置であって、
操作部、エンジン部、コントローラ部への電力供給を制御して通常状態よりも消費電力が小さい省電力状態へ、または省電力状態から通常状態へ移行させる電力制御手段と、
手差しされるシートを給紙する手差し給紙手段と、
手差しされるシートサイズを検出する検出手段と、
前記省電力状態へ移行した後、手差し給紙が指定されたジョブを受信した場合、当該ジョブで指定されるシートサイズと検出されたシートサイズが一致するかどうかを判断する判断手段と、を備え、
前記シートサイズが一致すると判断した場合、前記電力制御手段は、前記操作部への電力供給を復帰させることなく、前記コントローラ部、エンジン部に電力を供給して前記ジョブを処理させ、当該ジョブの終了後、前記省電力状態へ移行させることを特徴とする印刷装置。
【請求項２】
前記シートサイズが一致すると判断した場合、前記ジョブで指定されたシートサイズを前記手差し給紙手段に設定する設定手段を備えることを特徴とする請求項１記載の印刷装置。
【請求項３】
前記シートサイズが一致しないと判断した場合、前記電力制御手段は前記操作部に電力を供給することを特徴とする請求項１記載の印刷装置。
【請求項４】
前記操作部は、受信したジョブで前記手差し給紙手段から給紙すべきシートを設定する画面を表示する表示部を備えることを特徴とする請求項１または３に記載の印刷装置。
【請求項５】
前記シートサイズが一致しないと判断した場合、再検出されるシートサイズに従い前記ジョブの処理を開始させる制御手段を備えることを特徴とする請求項１記載の印刷装置。
【請求項６】
前記電力制御手段は、省電力状態を解除する指示を受け付けた後、操作部、エンジン部、コントローラ部の各部への電力供給を時間経過に従い段階的に停止してスリープ状態を変化させることを特徴とする請求項１記載の印刷装置。
【請求項７】
前記電力制御手段は、省電力状態からジョブを受信して手差し給紙されるシートに対するジョブを終了した後、操作部、エンジン部、コントローラ部への電力供給を全て停止してスリープ状態へ移行させることを特徴とする請求項１記載の印刷装置。
【請求項８】
手差し給紙手段から手差しされるシートに対してジョブ処理を行う印刷装置の制御方法であって、
操作部、エンジン部、コントローラ部への電力供給を制御して通常状態よりも消費電力が小さい省電力状態へ、または省電力状態から通常状態へ移行させる電力制御工程と、
手差しされるシートサイズを検出する検出工程と、
前記省電力状態へ移行した後、手差し給紙が指定されたジョブを受信した場合、当該ジョブで指定されるシートサイズと検出されたシートサイズが一致するかどうかを判断する判断工程と、を備え、
前記シートサイズが一致すると判断した場合、前記電力制御工程は、前記操作部への電力供給を復帰させることなく、前記コントローラ部、エンジン部に電力を供給して前記ジョブを処理させ、当該ジョブの終了後、前記省電力状態へ移行させることを特徴とする印刷装置の制御方法。
【請求項９】
請求項８に記載の印刷装置の制御方法をコンピュータに実行させることを特徴とするプログラム。
【発明の詳細な説明】
【技術分野】
【０００１】
本発明は、手差し給紙されるシートに印刷処理を行う印刷装置、印刷装置の制御方法、及びプログラムに関するものである。
【背景技術】
【０００２】
従来、様々な用紙（シート）をセットし通紙することが可能な手差しトレイを備えた印刷装置が知られている。この手差しトレイは、定形用紙だけではなく、封筒やはがき、さらに不定形用紙なども通紙可能であり、用紙を給紙口に直接セットすることになるため、急な引き込み防止も考慮し、操作パネルで用紙設定を行わない限り、用紙が確定しないようになっている。
【０００３】
一方、近年は省エネルギーの観点から、複数のユニット毎に電力制御が可能な印刷装置が存在する。これらの印刷装置は、所定時間操作されない場合に段階を追ってユニットの電力を落としていくことにより、使用する必要最低限の部分にのみ通電することにより、ユーザビリティを落とさず省エネルギーを達成することが可能なスリープモードを搭載している。特に所定時間操作されないことを条件としているため、最初に操作部のバックライトをＯＦＦし、次に段階を追って、スキャナ、プリンタの電力をＯＦＦしていく印刷装置が多い。これらの印刷装置は、スリープモード中にネットワークからのプリントジョブを受信すると、操作部のバックライトやスキャナには通電せず、プリンタにのみ通電してプリントを行う。
【先行技術文献】
【特許文献】
【０００４】
【特許文献１】特開平８−２３４８７６号公報
【発明の概要】
【発明が解決しようとする課題】
【０００５】
しかしながら、スリープモード中に受信したプリントジョブが手差しトレイから給紙するジョブだった場合において、スリープ中に手差しトレイに用紙をセットしても、操作部のバックライトが消えている。このために用紙設定ができず、スリープモードを解除しない限りプリントを行うことができなかった。さらに、スリープモードを一旦解除してしまうと、所定時間経過のタイマーでしか再度スリープモードに入ることができず、無駄な電力が消費されてしまう。
【０００６】
本発明は、上記の課題を解決するためになされたもので、本発明の目的は、省電力状態でジョブを受信した際に、手差し給紙が指定されている場合、操作部の電源を復帰させることなくジョブで指定されたサイズに従って処理を行える仕組みを提供することである。
【課題を解決するための手段】
【０００７】
上記目的を達成する本発明の印刷装置は以下に示す構成を備える。
ジョブ処理を行う印刷装置であって、操作部、エンジン部、コントローラ部への電力供給を制御して通常状態よりも消費電力が小さい省電力状態へ、または省電力状態から通常状態へ移行させる電力制御手段と、手差しされるシートを給紙する手差し給紙手段と、手差しされるシートサイズを検出する検出手段と、前記省電力状態へ移行した後、手差し給紙が指定されたジョブを受信した場合、当該ジョブで指定されるシートサイズと検出されたシートサイズが一致するかどうかを判断する判断手段と、を備え、前記シートサイズが一致すると判断した場合、前記電力制御手段は、前記操作部への電力供給を復帰させることなく、前記コントローラ部、エンジン部に電力を供給して前記ジョブを処理させ、当該ジョブの終了後、前記省電力状態へ移行させることを特徴とする。
【発明の効果】
【０００８】
本発明によれば、省電力状態でジョブを受信した際に、手差し給紙が指定されている場合、操作部の電源を復帰させることなくジョブで指定されたサイズに従って処理を行える。
【図面の簡単な説明】
【０００９】
【図１】本実施形態を示す印刷装置のハードウェア構成を説明するブロック図である。
【図２】図１に示した印刷装置のプログラムモジュールの構成を示すブロック図である。
【図３】本実施形態を示す印刷装置の一例を示す断面図である。
【図４】図３に示した手差しトレイの平面図である。
【図５】図１に示した操作部の表示部に表示されるＵＩ画面の一例を示す図である。
【図６】印刷装置の制御方法を説明するフローチャートである。
【図７】印刷装置の制御方法を示すタイミングチャートである。
【図８】印刷装置の制御方法を説明するフローチャートである。
【図９】印刷装置の制御方法を示すタイミングチャートである。
【発明を実施するための形態】
【００１０】
次に本発明を実施するための最良の形態について図面を参照して説明する。
＜システム構成の説明＞
〔第１実施形態〕
図１は、本実施形態を示す印刷装置のハードウェア構成を説明するブロック図である。本実施形態では、ジョブ処理を行う印刷装置を例とする。また、本実施形態の印刷装置は、操作部、エンジン部、コントローラ部を備え、後述するように操作部、エンジン部、コントローラ部への電力供給を制御して通常状態よりも消費電力が小さい省電力状態へ、または省電力状態から通常状態へ移行させる電力制御する。
図１において、１０２はスキャナ部で、原稿から光学的に画像を読み取りデジタル画像に変換する。１０３はコントローラ部で、ＣＰＵ１１５を備え、メモリ１１７にロードされる制御プログラムを実行することで、プリンタ部１０４を制御して、デジタル画像をシート（用紙）に出力する。１０７は操作部で、後述するＵＩ画面を表示するための表示部（ディスプレイ）を備える。１１６はハードディスクで、デジタル画像や制御プログラム等を記憶する。なお、操作部１０７は、後述するスリープ復帰ボタンを備える。
【００１１】
印刷装置１０１は、ＬＡＮ１０５経由でコンピュータ１０６から画像データのプリントを行うことが可能である。スキャナ部１０２は自動的に原稿束を自動的に逐次入れ替えることが可能な原稿給紙ユニット１１０、原稿を光学スキャンしデジタル画像に変換する事が可能なスキャナユニット１１１から成り、変換された画像データはコントローラ部１０３に送信される。
【００１２】
プリンタ部１０４は紙束から一枚ずつ逐次給紙可能な給紙ユニット１１４、給紙した紙に画像データを印刷するためのマーキングユニット１１２、印刷後の紙を排紙するための排紙ユニット１１３から成る。
なお、コントローラ部１０３のＣＰＵ１１５は、スキャナ部１０２及びプリンタ部１０４との画像データのやりとり及び保存を行う。すなわち、コントローラ部１０３ではスキャナ部１０２から受けた画像データを、メモリ１１７に一時格納する。その後ハードディスク１１６へと画像データを保存する事で画像のスキャンと保存が完了する。
【００１３】
コントローラ部１０３は、ハードディスク１１６から画像データをメモリ１１７に一時保存し、メモリ１１７からプリンタ部１０４に画像データを流すことによりプリント出力を行うことができる。
また、コントローラ部１０３は、画像処理部１１８を有し、メモリ１１７に格納した画像データを画像処理部１１８で例えば縮小等の処理を行ったものを再度メモリ１１７に格納する。また、画像処理部１１８で、プリンタ部１０４に出力する画像データを生成、加工等の処理を行う。
【００１４】
電源装置１０９は、印刷装置１０１における電源を供給する装置である。印刷装置１０１がＯＦＦの時、ＡＣ電源１１９はスイッチ１２０により絶縁されている。スイッチ１２０をＯＮにすることでＡＣ−ＤＣコンバータ１２１にＡＣ電源が供給され、ＤＣ電源が作られる。
【００１５】
この電源装置１０９は、ＣＰＵ１１５の指示により印刷装置１０１に対して４つの独立した電源制御を行うことが可能である。すなわち、ＣＰＵ１１５からのスイッチ１２２により、コントローラ部電力１２６の電源をＯＦＦ／ＯＮ制御可能である。同様に、スイッチ１２３はプリンタ部電力１２７、スイッチ１２４はスキャナ部電力１２８、スイッチ１２５は操作部バックライト電力１２９の電源をＯＦＦ／ＯＮ制御可能である。
【００１６】
ＣＰＵ１１５はこれらのスイッチ手段を用いることにより、適切に印刷装置１０１の必要な場所に電力を供給する。印刷装置１０１が使用されていない状況において、ＣＰＵ１１５はスイッチ１２２〜１２５を全てＯＦＦすることが可能である。この状況では、スリープ時電力１３０のみに通電され、コンピュータ１０６からのプリントジョブの検出及びスリープ復帰ボタンの押下を検出することができる。
プリントジョブ検出もしくは操作部１０７部に設けられるスリープ復帰ボタンの押下が検出されると、ハード的にコントローラ部電力１２６がＯＮとなり、ＣＰＵ１１５は状況に応じてスイッチ１２２〜１２５をＯＮにする。
【００１７】
図２は、図１に示した印刷装置のプログラムモジュールの構成を示すブロック図である。なお、本実施形態に示す印刷装置１０１上の２０１〜２０８は、ハードディスク１１６に保存され、メモリ１１７にロードされ実行されるプログラムモジュールである。
図２において、ジョブ制御部２０４では、ＬＡＮ１０５を介して受付部２０１が受信したコンピュータ１０６からのプリントジョブや、スキャナ部１０２からのコピージョブ等を管理する。また、ジョブ制御部２０４では、ＲＩＰ部２０３、画像処理制御部２０５、スキャナ制御部２０７、プリンタ制御部２０８を制御してジョブを実行する。
【００１８】
表示部２０２は、操作部１０７へのジョブ状況表示等を行う。ＲＩＰ部２０３は、コンピュータ１０６からのプリントジョブのページ記述言語（ＰＤＬ）をラスターイメージデータに展開する。画像処理制御部２０５は、画像処理部１１８を使用し、変倍、回転、色変換、スムージング等の画像処理を行う。
電力制御部２０６は、スイッチ１２２〜１２５のＯＦＦ／ＯＮを制御することにより、印刷装置１０１の最適な電力制御を行う。スキャナ制御部２０７は、スキャナ部１０２を制御し、原稿をスキャンすることにより画像データを作成する。プリンタ制御部２０８は、プリンタ部１０４を制御し、画像データをプリントする。
【００１９】
図３は、本実施形態を示す印刷装置の一例を示す断面図である。本例に示す印刷装置１０１は、スキャナ部１０２、プリンタ部１０４で構成される。
図３において、スキャナ部１０２は、スキャナユニット１１１と原稿給紙ユニット（ＤＦユニット）１１０で構成され、光学的に原稿を読み取る場合に使用される。原稿台に原稿をセットして読み込みを行う場合には、原稿台３０３に原稿をセットして原稿給紙ユニット１１０を閉じる。
読み込みがスタートすると、光源３０４で原稿を照射し、反射板３０５、レンズ３０６を介してＣＣＤ３０７が画像を読み取り、デジタル信号に変換され、所望の画像処理を行い印刷画像データに変換される。変換された印刷画像データはハードディスク１１６に格納される。
【００２０】
原稿給紙ユニット１１０に原稿をセットして読み込みを行う場合には、原稿給紙ユニット１１０の原稿セット部３０８のトレイに原稿を載置する。読み込みがスタートすると、原稿有無センサ３０９が原稿のセットを検知し、これをうけて給紙ローラ３１０と搬送ベルト３１１が回転して原稿を搬送し、原稿台３０３上の所定の位置に原稿がセットされる。これ以降は原稿台での読み込みと同様に画像が読み込まれ、ハードディスク１１６に格納される。
【００２１】
読み込みが完了すると、再び搬送ベルト３１１が回転して原稿を送り、排紙側の搬送ローラ３１２を経由して原稿排紙トレイ３１３へ排紙される。原稿が複数存在する場合は、原稿台から原稿が排紙搬送されるのと同時に、給紙ローラ３１０を経由して次原稿が給送され、次原稿の読み込みが連続的に行われる。
【００２２】
プリンタ部１０４は、ハードディスク１１６に記憶された印刷画像データを印刷する場合に使用される。印刷画像データは、Yellow、Magenta、Cyan、Blackの4色の記録レーザ光として各色の感光体３１４に照射され、感光体３１４に静電潜像を形成する。そして、トナーカートリッジ３１５から供給されるトナーによりトナー現像を行い、可視化された画像は中間転写ベルト３１６に一次転写される。
【００２３】
中間転写ベルト３１６は時計回転方向に回転し、給紙ユニット１１４（用紙カセット３１７、あるいは手差しトレイ３１８）から給紙搬送路３１９を通って給送された記録紙が二次転写位置３２０に搬送される。つまり、二次転写位置３２０で、中間転写ベルト３１６から記録紙へと画像が転写される。なお、ここで、手差しトレイ３１８は、手差し給紙手段として設けられ、図４に示すように複数のセンサを備え、手差し給紙するシートの幅と、シート有無を検出可能に構成されている。
画像が転写された記録紙は、定着器３２１で加圧と熱によりトナーが定着され、排紙搬送路を搬送された。その後、センタートレイ排紙口３２２か、スイッチバックして排紙ユニット１１３への排紙口３２３か、あるいはサイドトレイ排紙口３２４へと排紙される。ただし、サイドトレイ排紙口３２４は後処理部１３０が未装着の場合にのみ排紙可能な排紙口である。フラッパ３２５および３２６は、これらの排紙口を切り替えるために搬送路を切り替えるためのものである。
【００２４】
両面プリントの場合には、定着器３２１を通過後に、フラッパ３２６が搬送路を切り替ることにより用紙がスイッチバックして下方に記録紙が送られ、両面印刷用紙搬送路３２７を経て再び二次転写位置３２０に給送される。
排紙ユニット１１３は、ユーザに指定された機能に応じて印刷済み用紙に対して後処理を加えるために使用される。排紙ユニット１１３への排紙口３２３から搬送されてきた印刷済み用紙は、後処理部給紙口３２８から給紙される。
【００２５】
後処理部給紙口３２８から給紙された用紙は、図示しないフラッパにより、排紙先３３０、排紙先３３１、排紙先３３２のいずれかの搬送路に切り替えられ、搬送される。排紙先３３０へ排出される場合は、特に処理可能な後処理が無いため、用紙はそのまま排出される。排紙先３３１への出力の場合、ステイプル処理や、機器の奥/手前にシフト処理などが行われる。また、中とじ出力時は排紙先３３２へ排紙される。
【００２６】
図４は、図３に示した手差しトレイ３１８の平面図である。
図４において、手差しトレイ３１８からは、定形用紙のみならず、封筒やはがきを含め、様々なサイズの用紙を給紙することが可能である。また、用紙の搬送パスがストレートであることから、様々な種類の用紙を給紙することが可能である。
図４において、ガイド４０１と４０２は連動して稼働し、手差しトレイ３１８の中心線である４０４を中心とし、図４の方向では上下に稼働する。
ガイド４０１と４０２は連動しているため、中心線からガイドまでの長さ４０５と４０６は常に同じ長さとなる。
【００２７】
このガイド４０１と４０２には図示しないセンサと連動しており、ガイド４０１と４０２で用紙４０３を挟むことにより、用紙４０３の主走査幅を検知することができる。４０７は手差しトレイ３１８からの給紙方向を示している。
また、手差しトレイ３１８には図示しない用紙検知センサが搭載されており、手差しトレイ３１８に用紙をセットされたことが検知可能となっている。但し、この手差し用紙検知センサは、プリンタ部１０４が通電されていないと検知することはできないため、スイッチ１２３がＯＮされ、プリンタ部電力１２７がＯＮになっていないと動作しない。
【００２８】
図５は、図１に示した操作部１０７の表示部に表示されるＵＩ画面の一例を示す図である。本例は、手差し用紙設定画面例である。本ＵＩ画面は、手差しトレイ３１８に用紙がセットされ、その用紙が検知されると、手差し用紙設定画面が操作部１０７に表示される。
【００２９】
図５において、５０１は定形用紙サイズ選択キーであり、キーを押下することにより手差しトレイ３１８にセットした用紙サイズを定形サイズに設定することができる。５０２は定形以外の用紙サイズ選択キーであり、不定形や封筒、はがき等の定形外の用紙サイズを設定するときに使用する。
【００３０】
これらのキーを押下すると、図示しない各々の詳細設定画面に遷移し、定形外の用紙サイズを詳細に設定することができる。
５０３はＯＫキーであり、図５の手差し用紙設定画面で設定した内容を確定させて画面を抜けるためのキーである。ＯＫキー５０３を押下したタイミングでプリンタ部１０４に手差し用紙サイズが通知され、手差しトレイ３１８にセットされた用紙サイズが確定する。
【００３１】
通常、ジョブ制御部２０４は、図５の画面からの手差し用紙設定を行わない限り手差しトレイ３１８にセットした用紙サイズが確定しないため、用紙サイズが確定するまで手差しトレイ３１８からの給紙は行わない。
【００３２】
図６は、本実施形態を示す印刷装置の制御方法を説明するフローチャートである。本例は、手差し用紙設定処理例である。なお、図中のＳ６０１〜Ｓ６０３は各ステップを表す。本フローチャートに関わる印刷装置１０１のプログラムは、ハードディスク１１６に格納されており、メモリ１１７にロードされ、ＣＰＵ１１５により実行される。
【００３３】
Ｓ６０１では、ＣＰＵ１１５が手差しトレイ３１８に用紙がセットされたことを検知するとＳ６０２に進む。Ｓ６０２では、図５に示す手差し用紙設定画面を操作部１０７の表示部に表示し、Ｓ６０３に進む。Ｓ６０３では、図５に示す手差し用紙設定画面でユーザが設定した情報をＯＫキーが押されたタイミングでＣＰＵ１１５がプリンタ部１０４に通知することにより、手差しトレイ３１８の用紙を確定させる。
【００３４】
図７は、本実施形態を示す印刷装置の制御方法を示すタイミングチャートである。本例は、印刷装置における通常状態から、通常状態より消費電力が小さいスリープ状態への遷移状態を示すタイミングチャートである。
図７の（ａ）は、印刷装置１０１のスリープの状態遷移を示したタイミングチャートである。本実施形態においてスリープとは、スキャナ部１０２、コントローラ部１０３、プリンタ部１０４、操作部バックライト１０８の一部もしくは全ての電力がＯＦＦされた状態である。
【００３５】
状態７０１は操作部バックライト１０８の電力状態を示す。状態７０２はスキャナ部１０２の電力状態を示す。状態７０３はプリンタ部１０４の電力状態、状態７０４はコントローラ部１０３の電力状態を示す。また、７０５は印刷装置１０１の電力状態を示している。
【００３６】
本実施形態において、スリープは以下に示すスリープ１〜３の三段階としている。
〔スリープＳＰ１〕
スリープＳＰ１とは、操作部バックライト電力１２９のみＯＦＦされており、コントローラ部電力１２６、プリンタ部電力１２７、スキャナ部電力１２８はＯＮの状態である。
〔スリープＳＰ２〕
スリープＳＰ２とは、操作部バックライト電力１２９及び、プリンタ部電力１２７、スキャナ部電力１２８がＯＦＦされており、コントローラ部電力１２６はＯＮの状態である。
〔スリープＳＰ３〕
スリープＳＰ３とは、操作部バックライト電力１２９、コントローラ部電力１２６、プリンタ部電力１２７、スキャナ部電力１２８全てがＯＦＦされている状態である。
【００３７】
図７の（ａ）において、タイミングＴ７１１でスリープ復帰ボタンが押下されるまで印刷装置１０１の電力状態７０５に示すように、電力状態７０６はスリープＳＰ３状態である。
タイミングＴ７１１でスリープ復帰ボタンが押下されると、１２６〜１２９の全ての電力がＯＮされ、印刷装置１０１の電力状態７０５は、スタンバイ状態７０７となる。一旦印刷装置１０１がスタンバイ状態７０７となると、最後に操作部１０７に触れてから所定時間経過後であるタイミングＴ７１２に、ＣＰＵ１１５がスイッチ１２５をＯＦＦする。これにより、印刷装置１０１の電力状態７０５は、電力状態７０８（スリープＳＰ１）に遷移する。
【００３８】
さらに、所定時間スリープ復帰ボタンが押下されなければ、タイミングＴ７１３に、ＣＰＵ１１５がスイッチ１２３とスイッチ１２４をＯＦＦすることにより、電力状態７０５は、電力状態７０９（スリープＳＰ２）に遷移する。そこから、さらに所定時間スリープ復帰ボタンが押下されなければ、タイミングＴ７１４に、ＣＰＵ１１５がスイッチ１２２をＯＦＦすることにより、電力状態７１０（スリープＳＰ３）に遷移する。このように、印刷装置１０１がスタンバイ状態から一番省電力であるスリープＳＰ３に遷移するためには、最後に操作部１０７に触れてから所定時間操作部１０７に触れないことにより段階的にスリープ移行する必要がある。また、このスリープ移行時間は、操作部１０７から設定することができ、ハードディスク１１６に保存される。
このように、本実施形態では、省電力状態を解除する指示（スリープ復帰ボタンがＯＮ）を受付た後、操作部１０７、エンジン部（プリンタ部１０４）、コントローラ部１０３の各部への電力供給を時間経過に従い段階的に停止してスリープ状態を変化させる。
【００３９】
図７の（ｂ）は、印刷装置１０１の電力状態７１９が電力状態７２０（スリープＳＰ３）でプリントジョブを受信した場合の状態遷移を示したタイミングチャートである。
本実施形態において、印刷装置１０１の電力状態７１９がスリープＳＰ３の状態からＰＤＬプリントジョブを受信した場合、プリントに必要なコントローラ部電力１２６とプリンタ部電力１２７のみＯＮ（状態７１７，７１８）される。
プリント中にスリープ復帰ボタンが押下されていない限り印刷装置１０１の前にユーザがいないことが言えるため、プリント完了後、すぐに電力状態７２２（スリープＳＰ３）に遷移する。
【００４０】
なお、図７の（ｂ）において、７１５は操作部バックライト１０８の電力状態、７１６はスキャナ部１０２の電力状態、７１７はプリンタ部１０４の電力状態、７１８はコントローラ部１０３の電力状態を示している。また、７１９は印刷装置１０１の電力状態を示している。
【００４１】
図７（ｂ）において、タイミングＴ７２３でＰＤＬプリントジョブを受信するまで印刷装置１０１の電力状態７２０はスリープＳＰ３状態である。タイミングＴ７２３でＰＤＬプリントジョブを受信すると、ハードウェアとしてコントローラ部電力１０３がＯＮされ、ＣＰＵ１１５がＰＤＬプリントジョブの受信を検知し、スイッチ１２３をＯＮすることによりプリンタ部電力１２７をＯＮする。
【００４２】
そして、ＣＰＵ１１５がプリントを開始し、印刷装置１０１は７２１のＰＤＬプリント状態となる。タイミングＴ７２４でプリントが終了すると、ＣＰＵ１１５はスリープ復帰ボタンが押されずスリープ状態が維持されていることを判断してコントローラ部電力１２６とプリンタ部電力１２７をＯＦＦさせる。これにより、印刷装置１０１の電力状態７１９は、電力状態７２２（スリープＳＰ３）に遷移する。
このように、本実施形態において、スリープＳＰ３の状態におけるＰＤＬプリントジョブ受信は、プリント中のみコントローラ部電力１２６とプリンタ部電力１２７をＯＮし、プリント終了後にＯＦＦすることにより、電力効率を上げている。
【００４３】
図８は、本実施形態を示す印刷装置の制御方法を説明するフローチャートである。本例は差し指定プリントジョブの処理例である。なお、図中のＳ８０１〜Ｓ８１２は各ステップを表す。本フローチャートに関わる印刷装置１０１のプログラムは、ハードディスク１１６に格納されており、メモリ１１７にロードされ、ＣＰＵ１１５により実行される。以下、省電力状態へ移行した後、手差し給紙が指定されたジョブを受信した場合、当該ジョブで指定されるシートサイズと検出されたシートサイズが一致する場合の電力制御について説明する。
【００４４】
Ｓ８０１では、ＬＡＮ１０５でコンピュータ１０６からのＰＤＬプリントジョブを受信し、Ｓ８０２進む。Ｓ８０２では、コントローラ部電力１２６がＯＮ状態であるかどうかを判断し、ＯＮであればＳ８０４に進み、ＯＦＦ状態であればスリープＳＰ３であるため、Ｓ８０３に進む。Ｓ８０３では、ＬＡＮ１０５からの指示に基づいてハードウェアでスイッチ１２２をＯＮにし、コントローラ部電力１２６がＯＮ状態となる。
【００４５】
コントローラ部電力１２６がＯＮされると、ＣＰＵ１１５は、ＰＤＬプリントジョブの受信を判断し、プリントするためにスイッチ１２３をＯＮすることによりプリンタ部電力１２７をＯＮし、Ｓ８０４に進む。このときに、操作部１０７のスリープ状態を保つため、操作部バックライト電力１２９をＯＮにしない。
Ｓ８０４では、受信したＰＤＬプリントジョブが手差し指定ジョブかどうかを設定情報から判断し、手差し指定ジョブの場合はＳ８０５に進み、手差し指定ジョブでなければＳ８１０に進む。
【００４６】
Ｓ８０５では、ＣＰＵ１１５が手差しトレイ３１８の用紙が確定しているかどうかを判断する。手差しトレイ３１８の用紙が図６のフローチャートにより確定しているもしくは、手差しトレイ３１８に用紙が存在しないとＣＰＵ１１５が判断した場合はＳ８１０に進む。一方、手差しトレイ３１８に用紙が存在するが、確定していないとＣＰＵ１１５が判断した場合はＳ８０６に進む。
【００４７】
Ｓ８０６では、ＣＰＵ１１５が今からプリントしようとしているＰＤＬプリントジョブによりスリープＳＰ３から復帰したのかどうかを判断する。ここで、ＰＤＬプリントジョブによるスリープＳＰ３から復帰であるとＣＰＵ１１５が判断した場合はＳ８０７に進み、そうでないとＣＰＵ１１５が判断した場合、Ｓ８０９に進む。
Ｓ８０７では、ＣＰＵ１１５は、ＰＤＬプリントジョブに指定されている用紙情報と図４で検知した用紙の主走査幅を比較し、所定値（しきい値）よりサイズの方が大きいかどうかを判断する。ここで、所定値（しきい値）よりサイズの方が大きいとＣＰＵ１１５が判断した場合、Ｓ８０９に進み、小さいと判断した場合はＳ８０８に進む。
【００４８】
Ｓ８０８では、ＣＰＵ１１５がＰＤＬプリントジョブで指定されている用紙情報をプリンタ部１０４に通知することにより、手差しトレイ３１８の用紙を確定させる。このフローにより、図６のフローチャートの操作をユーザが敢えて実行しない場合でも、手差しトレイ３１８の用紙が確定し、操作部１０７のスリープ状態を保ったままＰＤＬプリントジョブのプリントが可能となる。つまり、この制御により、操作部１０７の画面表示状態ｇは消灯状態が維持される。
【００４９】
一方、Ｓ８０９では、ＣＰＵ１１５は、プリントを停止し、操作部バックライト電力１２９をＯＮにし、操作部１０７に図５の手差し用紙設定画面を表示し、図６のフローチャートの操作をユーザに促す。
Ｓ８１０では、プリント処理を行い、Ｓ８１１に進む。なお、Ｓ８０５で手差しトレイ３１８に用紙がセットされていないと判断した場合は、Ｓ８１０で用紙なしとなる。本フローチャートで記載してはいないが、ここでユーザが手差しトレイ３１８に用紙をセットした場合、再度Ｓ８０４〜Ｓ８０８のフローを通すことにより操作部１０７で手差し用紙設定をしなくともプリントできるようにしてもかまわない。
【００５０】
また、Ｓ８０７で、ＣＰＵ１１５が所定値（しきい値）よりサイズの方が大きく、Ｓ８０９に進んでしまった場合においても、手差しトレイ３１８の用紙を再セットした場合には、再度Ｓ８０４〜Ｓ８０８のフローを通す。これにより、操作部１０７で手差し用紙設定をしなくともプリントできるようにしてもかまわない。つまり、シートサイズが一致しないと判断した場合、再検出されるシートサイズに従いジョブの処理を開始させるように制御してもよい。
【００５１】
Ｓ８１１では、ＣＰＵ１１５が後続のプリントジョブが存在するかどうかを判断し、存在するとＣＰＵ１１５が判断した場合はＳ８０４に進み、存在しないと判断した場合はＳ８１２に進む。
Ｓ８１２では、ＣＰＵ１１５は、スリープ復帰ボタンが押されず、操作部バックライト電力１２９とスキャナ部電力１２８がＯＦＦされてスリープ状態が継続されていることを判断する。ここで、スリープ状態が継続されているとＣＰＵ１１５が判断した場合はＳ８１３に進み、そうでないとＣＰＵ１１５が判断した場合は、本処理を終了する。
Ｓ８１３では、ＣＰＵ１１５がスイッチ１２２と１２３をＯＦＦすることによりコントローラ部電力１２６とプリンタ部電力１２７をＯＦＦし、印刷装置１０１は７２２スリープ３に状態遷移する。
【００５２】
図９は、本実施形態を示す印刷装置の制御方法を示すタイミングチャートである。本例は、印刷装置におけるスリープ時の手差し指定プリントジョブによる状態遷移を示すタイミングチャートである。
図９の（ａ）は、図８に示したフローチャートを適用しなかった場合のスリープ時の手差し指定プリントジョブによる状態遷移を示している。
状態９０１は操作部バックライト１０８の電力状態を示す。状態９０２はスキャナ部１０２の電力状態を示す。９０５は印刷装置１０１の電力状態を示している。
【００５３】
印刷装置１０１の電力状態９０５が電力状態９０６（スリープＳＰ３）の状態からタイミングＴ９１４のタイミングでＰＤＬプリントジョブを受信した場合、プリントに必要なコントローラ部電力１２６とプリンタ部電力１２７のみＯＮされる。
ここで受信したＰＤＬプリントジョブが手差し指定ジョブの場合、手差しトレイ３１８に用紙がセットされていても、操作部１０７で手差し用紙設定を行わない限り手差しトレイ３１８から給紙することができず、印刷装置１０１は９０７プリント待機状態となる。この状態からプリントを開始するには、ユーザがタイミングＴ９１５でスリープ復帰ボタンを押下することでスリープ復帰させ、電力状態９０８で操作部１０７から手差し用紙設定を行う必要がある。
【００５４】
手差し用紙設定を行えば、手差しトレイ３１８の用紙が確定し、タイミングＴ９１６でプリントが開始され、印刷装置１０１の電力状態９０５は、電力状態９０９（ＰＤＬプリント状態）となる。但し、タイミングＴ９１５で、ユーザがスリープ復帰ボタンを押した場合は、１２６〜１２９全ての電力がＯＮとなってしまう。このため、タイミングＴ９１７でプリントが完了してもスリープＳＰ３に移行することができず、印刷装置１０１の電力状態９０５は、電力状態９１０（スタンバイ状態）となる。
【００５５】
その後は、図７の（ａ）と同様、最後に操作部１０７を操作してから所定の時間経過後にタイミングＴ９１８、Ｔ９１９、Ｔ９２０で、印刷装置１０１は、次のように状態遷移する。具体的に、印刷装置１０１は、電力状態９１１（スリープＳＰ１）、電力状態９１２（スリープＳＰ２）、電力状態９１３（スリープＳＰ３）のように状態遷移する。
【００５６】
図９の（ｂ）は、図８に示したフローチャートを適用した場合のスリープ時の手差し指定プリントジョブによる状態遷移を示している。
９２１は操作部バックライト１０８の電力状態、９２２はスキャナ部１０２の電力状態、９２３はプリンタ部１０４の電力状態、９２４はコントローラ部１０３の電力状態を示している。また、９２５は印刷装置１０１の電力状態を示している。
【００５７】
印刷装置１０１の電力状態９２５が電力状態９２６（スリープＳＰ３）の状態からタイミングＴ９２９でＰＤＬプリントジョブを受信した場合、プリントに必要なコントローラ部電力１２６とプリンタ部電力１２７のみＯＮされる。
ここで受信したＰＤＬプリントジョブが手差し指定ジョブの場合で、手差しトレイ３１８にセットされた用紙が確定していなかった場合でも、図８のＳ８０６〜Ｓ８０８の処理により、図９の（ａ）の状態遷移とならず、プリントを開始することが可能となる。
従って、電力状態９２７でプリントを行い、タイミングＴ９３０でプリントが終了すると、ＣＰＵ１１５がスイッチ１２２とスイッチ１２３をＯＦＦする。これにより、コントローラ部電力１２６とプリンタ部電力１２７をＯＦＦし、印刷装置１０１の電力状態９２５は、電力状態９２８（スリープＳＰ３）に状態遷移する。このように、図９の（ｂ）は図９の（ａ）と比較し、スリープ効率が上がるため、より省電力で印刷装置１０１を動作させることができる。
本実施形態によれば、スリープモード中に受信したプリントジョブが手差しトレイを使用する場合において、手差しトレイにセットされている用紙が確定していなくとも、自動的にプリントジョブの用紙情報を手差しトレイにセットする。これにより、全てのユニットのスリープを復帰させずにプリントを行うことが可能であるスリープ効率の良い印刷装置を提供することができる。
【００５８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６０】
１０１  印刷装置
１０２  スキャナ部
１０３  コントローラ部
１０４  プリンタ部
１０５  ＬＡＮ
１０７  操作部
１０８  操作部バックライト
１０９  電源装置
【図１】
2014113702.tif 000003
【図２】
2014113702.tif 000004
【図３】
2014113702.tif 000005
【図４】
2014113702.tif 000006
【図５】
2014113702.tif 000007
【図６】
2014113702.tif 000008
【図７】
2014113702.tif 000009
【図８】
2014113702.tif 000010
【図９】
2014113702.tif 000011